(57)【特許請求の範囲】
【請求項１】
車体（１）の前部に刈取装置（２）を刈取フレ−ム（２１）によって上下回動自在に支持し、該刈取フレ−ム（２１）における操縦席（１８）と反対側の分草体（７）の外側部にフロントナロ−ガイド（３）の先端部を左右回動自在に取り付け、該フロントナロ−ガイド（３）の後端部にリヤナロ−ガイド（４）の前端部を屈曲自在に連結し、該リヤナロ−ガイド（４）の後端部を車体（１）の横側において前後方向に沿って設けられる案内杆（２７）に対して前後摺動自在に支持させ、前記車体（１）の前側において上下方向のピン（２５）の回りに回動自在のブラケット（２８）と、該ブラケット（２８）に対して上下回動できる上下回動ア−ム（２９）と、該上下回動ア−ム（２９）に対して横方向へ摺動できる摺動ア−ム（３２）とから支持ア−ム（６）を構成して、該支持ア−ム（６）の先端部に前記リヤナロ−ガイド（４）を前後回動自在に支持し、前記摺動ア−ム（３２）を、上下回動ア−ム（２９）に一体のボス（３０）と該ボス（３０）端面にばね（３３）で圧接される係止板（３１）の穴とに挿通して、該係止板（３１）の摺動ア−ム（３２）への食込作用によって前記上下回動ア−ム（２９）と摺動ア−ム（３２）とからなる支持ア−ム（６）の伸縮長さを固定できるように構成し、前記係止板（３１）をボス（３０）の一側に設けるにあたり、コンバインの機体側に設けたことを特徴とするコンバイン。
【発明の詳細な説明】
【０００１】
【発明の属する技術分野】
この発明は、コンバインのナローガイドに関するもので、ナローガイドの前後中間部を車体の外側方へ出入調節自在に構成するもので、刈取装置の昇降に順応し易いものとする。
【０００２】
【従来の技術】
コンバインのナローガイドは前端部を刈取装置の分草体に上下回動可能にして取付け、機体側面に沿うように収納したり、外側へ張出回動させて分草しうる構成とする形態が多い。
【０００３】
【発明が解決しようとする課題】
上述のように、ナローガイドは前端部を刈取装置の分草体に上下回動可能にして取付け、機体側面に沿うように収納したり、外側へ張出回動させて分草しうる構成とする形態が多いが、刈取装置の昇降時には、このナローガイドが抵抗となり、円滑な刈取昇降を維持でき難い。
【０００４】
【課題を解決するための手段】
この発明は、車体（１）の前部に刈取装置（２）を刈取フレ−ム（２１）によって上下回動自在に支持し、該刈取フレ−ム（２１）における操縦席（１８）と反対側の分草体（７）の外側部にフロントナロ−ガイド（３）の先端部を左右回動自在に取り付け、該フロントナロ−ガイド（３）の後端部にリヤナロ−ガイド（４）の前端部を屈曲自在に連結し、該リヤナロ−ガイド（４）の後端部を車体（１）の横側において前後方向に沿って設けられる案内杆（２７）に対して前後摺動自在に支持させ、前記車体（１）の前側において上下方向のピン（２５）の回りに回動自在のブラケット（２８）と、該ブラケット（２８）に対して上下回動できる上下回動ア−ム（２９）と、該上下回動ア−ム（２９）に対して横方向へ摺動できる摺動ア−ム（３２）とから支持ア−ム（６）を構成して、該支持ア−ム（６）の先端部に前記リヤナロ−ガイド（４）を前後回動自在に支持し、前記摺動ア−ム（３２）を、上下回動ア−ム（２９）に一体のボス（３０）と該ボス（３０）端面にばね（３３）で圧接される係止板（３１）の穴とに挿通して、該係止板（３１）の摺動ア−ム（３２）への食込作用によって前記上下回動ア−ム（２９）と摺動ア−ム（３２）とからなる支持ア−ム（６）の伸縮長さを固定できるように構成し、前記係止板（３１）をボス（３０）の一側に設けるにあたり、コンバインの機体側に設けたことを特徴とするコンバインの構成とする。
【０００５】
コンバインの非刈取時は、支持アーム６を車体１側へ引込めて、ナローガイドを車体１側部に接近させるように沿わせる。又、刈取作業時は、支持アーム６を横側へ引き出すことにより、フロントナローガイド３及びリヤナローガイド４は前後端部を外側へ回動させて該フロントナローガイド３とリヤナローガイド４との連結部の屈曲角度を小さくしながら、外側方へ張出され、刈取装置２による刈取作用時では、分草体７の外側に分草した穀稈を横側へ押し分け案内して、穂先部が車体１側に直接接触しないようにする。これら支持ア−ム６の伸縮操作は、係止板３１によってボス３０に対する摺動ア−ム３２の摺動状態と係止状態とを切替えることにより行われる。
【０００６】
【発明の効果】
この発明によると、ナローガイドが、前端部を刈取装置２の分草体７に連結したフロントナローガイド３と、後端部を車体１側部に連結したリヤナローガイド４とを屈曲自在に連結して支持アーム６で前後揺動自在で出入可能にして車体１に対して支持させるものであるから、刈取装置２が車体１に対して昇降されても、ナローガイドはこの支持アーム６で支持された姿勢をほぼ維持しながら、フロントナローガイド３の前部が移動し、リヤナローガイド４の後部が移動して、穀稈を分草したり、ナローガイドの収納姿勢を保つことができる。
【０００７】
このようなナローガイドにおいて、支持アーム６が伸縮調節されるときや、刈取装置２が昇降されるときは、フロントナローガイド３とリヤナローガイド４との連結部が屈曲自在であり、フロントナローガイド３の前端部が回動自在であり、リヤナロ−ガイド４の後端部が前後摺動自在であるから、該支持アーム６の前後揺動に相俟って、円滑なナローガイドの姿勢変更を行うことができる。
また、係止板３１をボス３０の一側に設けるにあたり、コンバインの機体側に設けるように構成しているので、穀稈が係止板３１に引っ掛かるなどの不具合を防止できるようになる。
【０００８】
【発明の実施の形態】
コンバインは、刈取装置２に穀稈引起装置８を有し、刈刃装置９で刈取られる穀稈を株元搬送装置１０と穂部搬送装置１１とで挾持搬送しながら後側の自動送込形態の脱穀装置１２に供給し、この脱穀装置１２では、フィードチェン１３と挾扼杆とで挾持搬送しながら穂部を脱穀室１４に供給させて扱胴の回転により脱穀させるものである。脱穀物は、脱穀網や揺動選別装置等により選別しながら穀粒を揚穀機１５からグレンタンク１６に取出して収容させ、脱穀済の排稈は、排稈装置により後側の排稈カッター１７に供給して短く切断されながら落下する。
【０００９】
１８は操縦席で、刈取装置２の搬送装置１０，１１の横側に配置される。１９は操縦台である。
前記刈取装置２は、クローラ走行装置２０を有した車体１の前部に刈取フレーム２１によって上下回動自在に支持され、この刈取フレーム２１は、車体１との間に設けられる油圧力により伸縮されるシリンダー２２によって昇降制御される。又、この刈取フレーム２１には分草体７が配置され、前記操縦席１８と反対側の分草体７の外側部にはフロントナローガイド３の先端部が上下方向のピン２３の回りに左右回動自在に設けられている。
【００１０】
又、リヤナローガイド４は、前端部が該フロントナローガイド３の後端部に左右上下方向屈曲自在にして連結部５で連結され、後記支持アーム６の先端部に上下方向のピン２６回りに前後回動自在に枢着されて支持される。又、このリヤナローガイド４の後端部は車体１の横側に前後方向に沿って設けられる案内杆２７に対して、前後摺動自在に嵌合支持させている。
【００１１】
支持アーム６は、車体１の前部に取付けられて、横端をリヤナローガイド４の前端部に連結させて、横方向に伸縮できるように構成される。この支持アーム６は、車体１の前側に上下方向のピン２５回りに回動自在のブラケット２８と、このブラケット２８に対して前後方向のピンの回りに上下回動できるアーム（上下回動ア−ム）２９と、このアーム２９に対してボス３０と係止板３１とで横方向へ摺動できるアーム（摺動ア−ム）３２とから構成される。
【００１２】
リヤナローガイド４側に連結されるアーム３２は、アーム２９に一体のボス３０と、このボス３０端面にばね３３で接圧される係止板３１との穴に挿通されて、この係止板３１のばね３３による張圧力でアーム３２に対する喰込作用でアーム２９，３２の伸縮長さを一定に固定でき、この係止板３１をばね３３に抗してアーム３２に対し直交する状態に操作することによって、その係止力を解除し、アーム３２がボス３０に対し摺動自在となり、支持アーム６を伸縮自在となる。
【００１３】
前記ブラケット２８に対するアーム２９は、このアーム２９のピン３４がブラケット２８の上下方向の長孔３５に嵌合されていて、一定の間を上下揺動自在とする構成である。このピン３４には締付ナットを設けて、ブラケット２８に対して締付固定して、アーム２９の上下角度を固定できる構成とするもよい。
【００１４】
ナローガイドを収納するときは、支持アーム６を短縮して、フロントナローガイド３及びリヤナローガイド４を機体側面に接近させる。又、ナローガイドを刈取作業姿勢に張出させるときは、支持アーム６を伸出させればよい。これら支持アーム６の伸縮操作は、係止板３１によってボス３０に対するアーム３２の摺動、係止を切替えることにより行われる。
【００１５】
支持アーム６の張出長さによって、ナローガイド３，４の分草体７等に対する角度が変わるが、リヤナローガイド４の後端部は案内杆２７に対して前後に摺動し、支持アーム６はブラケット２８が車体１に対してピン２５回りに回動するため吸収されて、ナローガイド３，４の円滑な位置調節を行いうる。
【００１６】
刈取装置２を上下動するときは、刈取フレーム２１の後部を支点にして分草体７部が上下動されるため、これに伴ってフロントナローガイド３も上下動される。このフロントナローガイド３は、リヤナローガイド４との連結部５を上下乃至前後に移動させながら上方に屈曲される。
【００１７】
図４において、上例と異なる点は、フロントナローガイド３の前端部を、分草体７の前後方向の案内杆３６に嵌合摺動させて、前記支持アーム６の基部ブラケット２８は車体１に固定させた構成としたものである。この支持アーム６は伸縮と上下回動とを行いうるが、これに伴ってフロントナローガイド３の前端部は案内杆３６に対して、又リヤナローガイド４の後端部は案内杆２７に対して各々前後摺動する。これによってナローガイドの張出位置が変化する。
【００１８】
図５において、上例と異なる点は、前記ナローガイドの張出位置を操縦台１９部の操作レバー３７を操作することによって、リンクロッド３８，３９や、ベルクランク４０，４１等を介して、支持アーム６を車体１に対して回動自在に枢支４２したボス４３に摺動させて、クリップボール４４と支持アーム６のボール溝４５との係合によって、有段に伸縮調節できるものである。フロントナローガイド３の前端及びリヤナローガイド４の後端部は、前例のように案内杆３６，２７に摺動嵌合させている。
【００１９】
図６において、上例と異なる点は、前記支持アーム６のボス４３に対する摺動伸縮位置の固定を、このボス４３の左右両端部において、支持アーム６に嵌合させて、ばね４６で引っ張らせた一対の係止板４７によって行わせるもので、ばね４６によって引っ張られた係止板４７は支持アーム６に嵌合部が喰い込むように働き、前側の係止板３１と同様の作用で、ボス４３に対する支持アーム６の摺動位置を固定できる。
【００２０】
この係止板４７には、一方にインナワイヤ４８が、他方にアウタワイヤ４９が連結されて、前記操作レバー３７を操作することにより、これら係止板４７を支持アーム６に対して、ばね４６に抗してボス４３側へ引き寄せて、直交状に回動させることができ、このとき係止板４７の係止力は解除されて、支持アーム６は摺動自在の状態となり、前記同操作レバー３７の操作によるロット３８，３９等を経て支持アーム６が摺動可能な状態となる。５０はボス４３と一体で、ボス端部に係止板４７を嵌合支持する支持穴５１を有した係止板ホルダーである。
【００２１】
前記操作レバー３７は、操作盤５２の左右の案内溝５３に案内させ、この途中から分岐する前後の案内溝５４に案内させることができ、基部には左右方向の横ピン５５の回りに回動自在で、この横ピン５５を有する回動片５６は前後方向の縦ピン５７回りに回動自在で、下端部にリンクロッド３８を連結している。
【００２２】
操作レバー３７を案内溝５４に係合させるとインナイワイヤ４８が緩んで、係止板４７はばね４６により開かれて固定状態となる。操作レバー３７を案内溝５４から案内溝５３側へ移動させると、インナワイヤ４８が引っ張られて、係止板４７は支持アーム６の係止を解放して、支持アーム６はボス４３に対して摺動自在の状態となる。このとき操作レバー３７を案内溝５３に沿って左右へ移動操作することにより、前記リンクロッド３８，３９等を介して支持アーム６が移動されて、ナローガイドの張出位置を変えることができる。この張出位置を調節したところで操作レバー３７を案内溝５４に係合することにより、係止板４７を係止位置として支持アーム６を固定する。
【図面の簡単な説明】
【図１】  コンバインのナローガイド部の平面図。
【図２】  その側面図。
【図３】  ナローガイド一部の平面図と、その正面図、及び断面図。
【図４】  参考例。
【図５】  参考例。
【図６】  参考例。
【符号の説明】
１  車体
２  刈取装置
３  フロントナローガイド
４  リヤナローガイド
６  支持アーム
７  分草体
１８  操縦席
２１  刈取フレ−ム
２５  ピン
２７  案内杆
２８  ブラケット
２９  ア−ム（上下回動ア−ム）
３０  ボス
３１  係止板
３２  ア−ム（摺動ア−ム）
３３  ばね
【図１】
0003750216.tif 000002
【図２】
0003750216.tif 000003
【図３】
0003750216.tif 000004
【図４】
0003750216.tif 000005
【図５】
0003750216.tif 000006
【図６】
0003750216.tif 000007